(57)【特許請求の範囲】
【請求項１】
複数の各ロケーションで読み書き可能なカードを用いるカード処理システムにおいて、
カード発行装置とカード処理装置とで構成され、
カード発行装置は、カードを同一フォーマットするカード初期化手段と、フォーマットされたカードの所定領域に各ロケーションに共通の初期識別データを書き込むデータ書込み手段とを備え、
カード処理装置は、カードデータを読み書きするカード読み書き手段と、ロケーションごとの専用識別データを設定するデータ設定手段と、使用されたカードの所定領域に記憶されたデータが初期識別データのとき、そのデータをデータ設定手段による専用識別データに書き換える書換え手段とを備えたことを特徴とするカード処理システム。
【請求項２】
請求項１記載のカード処理システムにおいて、
使用されたカードの所定領域に記憶されたデータが専用識別データであるとき、有効カードとして所定の処理を行うことを特徴とするカード処理システム。
【請求項３】
請求項１記載のカード処理システムにおいて、
初期識別データは、英数文字，空白，ＮＵＬＬのうちのいずれかであることを特徴とするカード処理システム。
【請求項４】
請求項１記載のカード処理システムにおいて、
データ設定手段は、キーボード，記憶装置，通信回線のうちのいずれかであることを特徴とするカード処理システム。
【発明の詳細な説明】
【０００１】
【発明の属する技術分野】
この発明は、特定ロケーションでキャッシュレス化などのために用いるカード処理システムに関する。
【０００２】
【従来の技術】
従来、例えば社員食堂や遊園地などの特定ロケーションでは、キャッシュレス化を目的として、磁気カードなどのデータ読み書き可能なカードを用いるカード処理装置付き自動販売機などが利用されている。
このようなカード処理システムでは、カード供給側は，複数のロケーションに対応するために、例えば、遊園地により異なる番号をカードに記憶させるなど、ロケーションごとに特定の意味付けをしたカードを、カード使用開始時期やカード追加のたびにエンコードして発行していた。また、カード使用側では、意味付けされたカードに対して、例えば、各機器が設定可能な特定の英数文字などにより、各ロケーション専用のカードかどうかを判別していた。
【０００３】
図５は、このようなカードのデータ記憶領域に、エンコード時に記憶されたデータの例である。テキストの開始（ＳＴＸ）と終結（ＥＴＸ）制御文字およびチェック用データ（ＬＲＣ）との間に、データ１，２，３が記憶されている。このデータのうち、データ２がロケーション識別用の意味付けデータであり、カード発行時に、例えば、遊園地Ａ専用のカードには「１２３４」，遊園地Ｂ専用のカードには「５６７８」などの専用識別コードを記憶させておく。カード使用時には、各遊園地に設置されたカード処理装置によりデータ２を読み出し、各ロケーション用の識別コードかどうかを判別する。なお、データ１は例えばカード発行会社名などの既定値、データ３は例えばカードの残額などの可変データであり、これらのデータは各ロケーションに共通する種類のデータである。
【０００４】
【発明が解決しようとする課題】
従来のカード処理システムには次の問題がある。
上述のように、カード発行側では、カードエンコード時に、ロケーションごとにカードデータに意味付けをしなければならない。このため、特に、ロケーションの種類が多く、大量のカードを発行する場合などは、特定の意味付けの決定、発行枚数の確認、発行時期の調整、発行能力の確認などをカード発行のたびに考慮しなければならない。また、意味付けを記憶しておく媒体などの手段や、そのデータべースの保存方法、およびセキュリティなどを維持するための装置などが必要となる。
【０００５】
また、カード使用側では、意味付けを判別するためのエンコード内容、カード発行側との連携、確認作業が必要で、特にロケーションが多い場合などは作業がわずらわしく時間がかかっていた。
この発明の課題は、カード発行時や利用時の作業の作業効率やセキュリティを高めることである。
【０００６】
【課題を解決するための手段】
発明１によるカード処理システムは、複数の各ロケーションで読み書き可能なカードを用いるカード処理システムにおいて、カード発行装置とカード処理装置とで構成され、カード発行装置は、カードを同一フォーマットするカード初期化手段と、フォーマットされたカードの所定領域に各ロケーションに共通の初期識別データを書き込むデータ書込み手段とを備え、カード処理装置は、カードデータを読み書きするカード読み書き手段と、ロケーションごとの専用識別データを設定するデータ設定手段と、使用されたカードの所定領域に記憶されたデータが初期識別データのとき、そのデータをデータ設定手段による専用識別データに書き換える書換え手段とを備える。
【０００７】
これにより、同一フォーマットされたカードが、専用識別データ書換えにより各ロケーション専用のカードとして使える。したがって、カード発行時にロケーション別のカードを発行する必要がなくなるとともに、専用識別データは各ロケーションで意味付けされるので、作業効率やセキュリティが高まる。
発明２によるカード処理システムは、発明１のカード処理システムにおいて、使用されたカードの所定領域に記憶されたデータが専用識別データであるとき、有効カードとして所定の処理を行う。
【０００８】
これにより、カード発行時の作業効率やセキュリティが高まるとともに、各ロケーションで有効カードが識別される。
発明３によるカード処理システムは、発明１のカード処理システムにおいて、初期識別データを、英数文字，空白，ＮＵＬＬのうちのいずれかとする。
これにより、カード発行と識別が確実に容易に行われる。
【０００９】
発明４によるカード処理システムは、発明１のカード処理システムにおいて、データ設定手段を、キーボード，記憶装置，通信回線のうちのいずれかとする。
これにより、識別データが容易に設定あるいは変更される。
【００１０】
【発明の実施の形態】
図１は、この発明の一実施の形態を示す構成図である。
このシステムは、カードをエンコードするカード発行装置０１と、エンコードされたカードを利用するカード処理装置０２とで構成される。なお、以下ではカード処理装置０２は自動販売機に適用された場合を示すが、施設利用券を使う遊園地などのような特定ロケーションで用いられる装置でも同様である。
【００１１】
カード発行装置０１を構成する機器は、カードエンコード機器を制御あるいはカードにデータを入力・変更するためのパソコンなどの制御部１、制御部１によりエンコード内容を読み書きするエンコーダなどのカードデータ入力部２、およびカード連続発行用のカードスタッカーなどのカード収納部３である。
なお、図示していないが、制御部１のパソコンは、記憶装置、ディスプレイ、キーボードなどに接続されたパソコン本体と、オペレーティングシステムおよびアプリケーションソフトウェアとで構成される。また、カードデータ入力部２のエンコーダは、カード読み書き部、ＲＡＭ、ＲＯＭ、ＣＰＵ、時計部を制御する制御部とそのソフトウェアで構成される。
【００１２】
カード処理装置０２を構成する機器は、後記するようにカード発行装置０１でエンコードされたカードに各ロケーションごとの専用識別コードを記憶させるロケーション設定機能７５、その設定用のキーボード１０、および、カードデータを読み書きするためのカードリーダライタ８である。なお、カード処理装置０２のその他の構成機器は、通常の自動販売機と同様に、扉ボタンとランプ類制御部からなる扉部４、硬貨と紙幣を選別する現金入金部５、上位ホストコンピュータへ接続するための上位ホスト接続部６、ＣＰＵ７１，ＲＡＭ７２，ＲＯＭ７３，ＣＬＯＣＫ７４，および上記ロケーション設定機能７５で構成される中央制御部７、商品搬送装置や電源などのその他機器９である。
【００１３】
図２は、カード発行装置０１でエンコードされたカードデータの例である。「ＳＴＸ」と「ＥＴＸ」「ＬＲＣ」とに挿まれた記憶領域に、データ１，２，３が記憶され、データ２が各ロケーション識別用に意味付けされるデータである。また、データ１とデータ３は、各ロケーションで共通に使うデータ領域である。なおこの図には、後記するように、カードに記憶される上記データの読み込みと書き込みの際にアクセスされるデータを分けて記載している。
【００１４】
図３，４は、この発明によるカード処理システムの主要動作を示すフローチャートである。図１を参照して動作を説明する。なお、図３はカード発行側の動作を示し、図４はカード使用側の動作を示す。
まず、この発明によるカード処理システムの動作概要は次のとおりである。すなわち従来は、ロケーション専用識別データ（意味付けデータ）を、カード発行側が各ロケーション向けのカードのデータ２記憶領域に記憶させていた。しかし、この発明では、カード発行時には、すべてのロケーション向けのカードに対して、データ２の領域には「ＮＵＬＬ」，「０」，「空白」などの文字データを入れるだけとする。そうして、カード使用側の各ロケーションでロケーション専用識別コードを書き込んで、各ロケーション専用カードとするものである。
（１）カード発行側での動作
図３のフローチャートで、まず、カードのエンコード用モードに設定する（ステップＳ１）。次に，従来のカード発行方法と同様にデータ２の意味付けを行うときは（ステップＳ２，分岐Ｎ）データ２に記憶させるデータを確認し（ステップＳ３）、意味付けしないときは（ステップＳ２，分岐Ｙ）例えばデータ２の記憶領域に「０」を記憶させてから、エンコードカードを発行する（ステップＳ４）。そうして、従来と同様に意味付けしたカードのときは（ステップＳ５，分岐Ｎ）ロケーション別にカードを区分し（ステップＳ６）、意味付けしないときは（ステップＳ５，分岐Ｙ）カードを保管しておき（ステップＳ７）、その後各ロケーションへ出荷し（ステップＳ８）、機器を設定して（ステップＳ９）終了する。
（２）カード使用側での動作
図４のフローチャートで、カード使用側（この例では自動販売機）では、カードリーダ８へのカード挿入を待機し（ステップＳ１１）、カードが挿入されたら（分岐Ｙ）、カードのデータ２の意味付け領域を読み込み、そのカードが初めて使用されたかどうかを判断する（ステップＳ１２）。すなわち、データが「０」なら初めての使用と判断し（分岐Ｙ）、このロケーションを示す専用識別コード、例えば「１２３４」をデータ２の領域に書き込み（ステップＳ１３）、商品販売や金銭処理などの販売動作をした後（ステップＳ１４）、カードをカードリーダ８から返却し（ステップＳ１５）、終了する。
【００１５】
ステップＳ１２で、カードが２度目以降の使用であるとき、つまりデータ２の記憶領域が「０」でないときは（分岐Ｎ）、その意味付けデータがその自動販売機のロケーション用の専用識別コードと一致するかどうかを判断し（ステップＳ１６）、一致すれば（分岐Ｙ）、ステップＳ１４の販売動作に進み、一致しないときは（分岐Ｎ）、このロケーション用のカードではないと判断してそのまま終了する。
【００１６】
上記のカードデータの各データ項目（伝送制御文字ＳＴＸ，ＥＴＸ，ＬＲＣ，データ１，２，３）に対する処理状態を図２に示す。データ読み込み時には、上述のデータ２（意味付けデータ）を含むすべての文字列（図で「読む」に対応する網掛け部の文字列）がチェックされる。また、データ書き込み時は、同様に網掛け部の文字列にデータが書き込まれ、データ２の領域には各ロケーション識別用に設定される設定値が書き込まれる。なお、データ１の領域にはカード発行会社名などの各ロケーションで共通のデータ（既定値）が、データ３には残金などのカードによる可変データが書き込まれる。
【００１７】
なお、上述の識別コードの設定は、中央制御部７のＲＡＭ７２にあらかじめ記憶させたデータを書き込んでも、またはキーボード１０から設定入力しても，あるいは上位ホスト接続部６を介して外部から設定するようにしてもいい。
以上述べた、カード発行装置とカード処理装置のカード処理動作により、カード発行側では従来と違いロケーションごとに意味付けしたデータを記憶させる必要がなくなり、すべてのロケーションに同一のフォーマットをするだけで済む。また、カード使用側では、そのロケーション用の専用識別データが書き込まれるので、セキュリティの高いカードとなる。
【００１８】
【発明の効果】
この発明によれば、カード発行側で同一フォーマットしたカードの初期データを参照し、初期データのままなら各ロケーションでそれぞれの識別データに書き換える。このため、発行側は、ロケーションごとに別々にエンコードしたカードを作成しなくても、同一フォーマットのカードを発行すればよくなり、また、カード識別データは各ロケーションで設定されるので、ロケーションに対する情報を知る必要がなくなる。
【００１９】
この結果、カード発行にかかる時間の短縮、カード発行期間の制約、ロケーションごとの意味付けデータのセキュリティ確保、および、カード情報の流通による偽造防止の効果がある。また、識別データを各ロケーションで自由に設定できるので、意味付けデータの一元管理、意味付けデータの設置場所での決定可能、未使用カードをカード不足の他ロケーションに移行可能、および、ロケーションでの共通カード化可能の効果がある。
【００２０】
また、カードリーダに挿入されたカードの有効性を、各ロケーションで意味付けされた識別データで判定するようにすれば、各ロケーションで有効カードの識別が確実に行なえる。
また、カード発行時の初期共通データを、英数文字，空白，ＮＵＬＬのうちのいずれかとすれば、カード発行と識別が確実に容易にできる。
【００２１】
さらに、データ設定手段を、キーボード，記憶装置，通信回線のうちのいずれかとすれば、識別データを容易に設定あるいは変更できる。
【図面の簡単な説明】
【図１】この発明の一実施の形態を示す構成図
【図２】この発明によるカードデータの読み出し／書き込み状態を示す図
【図３】図１の発明に基づくカード発行装置の動作を示すフローチャート
【図４】図１の発明に基づくカード処理装置の動作を示すフローチャート
【図５】カードデータの例を示す図
【符号の説明】
０１…カード発行装置、０２…カード処理装置、１…制御部、２…カードデータ入力部、３…カード収納部、４…扉部、５…現金入金部、６…上位ホスト接続部、７…中央制御部、８…カードリードライタ、９…その他機器、１０…キーボード。
【図１】
0003608341.tif 000002
【図２】
0003608341.tif 000003
【図３】
0003608341.tif 000004
【図４】
0003608341.tif 000005
【図５】
0003608341.tif 000006